(57)【要約】  【課題】  大型のモータを使用しなくても、確実に券紙の送り出し供給を行うことができ、同時にバッテリの小型化も可能になり、小型化するのに好適な携帯発券装置を提供する。  【解決手段】  券紙９を積層した収納部２から券紙９を１枚ずつ分離しながら送り出する送出手段３と、送出手段３で分離され送り出された券紙９に印字を行う印字部７と、この印字された券紙９を本体１０外部へ排出する排出手段８とを備えた携帯発券装置であって、券紙９を送出手段３に押し付ける弾性部材２２、２３を、収納部２内部の券紙送り出し方向に沿った上流側と下流側に備えるとともに、下流側の弾性部材２３には上流側の弾性部材２２より弾性力が小さいものを用いた。【選択図】  図１
2006178732.tif 000002
【特許請求の範囲】
【請求項１】
印字すべき券紙を積層した収納部と、この収納部から前記券紙を送り出す送出手段と、この送出手段で繰出された前記券紙に印字を行う印字部と、この印字された前記券紙を本体の外部へ排出する排出手段とを備えた携帯発券装置であって、
前記券紙を前記送出手段に押し付ける弾性部材を、前記収納部内の前記券紙の送り出し方向に沿った上流側と下流側に備えるとともに、
前記弾性部材は、下流側の方が上流側より弾性力が小さい携帯発券装置。
【請求項２】
前記印字部の他に、前記券紙に磁気記録する磁気記録部を備える請求項１に記載の携帯発券装置。
【発明の詳細な説明】
【技術分野】
【０００１】
本発明は、車内や臨時の改札口などで発券するのに好適な小型化が容易な携帯発券装置に関する。
【背景技術】
【０００２】
近年、交通需要の増大に対応し、年末年始などの旅客繁忙期には、乗客が乗車券を購入し易くするために、出札窓口を増設するか、駅施設として建設された出札窓口の他に、プラットホームやコンコースに仮設の出札窓口を設けることが行われている。このような用途に適合した乗車券発券機としては、例えば特許文献１に記載のものが知られている。
【０００３】
即ち、この乗車券発券機１００は、図１２に示すように、収納部１０１と、この収納部１０１近傍に設けた給送ローラ（プラテンを構成している）１０３と、この給送ローラと対向して設けた磁気記録用の磁気ヘッド１０４と、この磁気ヘッド１０４を挟んで収納部１０１とは反対側に配置された第１の通路１０５と、収納部１０１上部に配置された第２の通路１０６と、第１の通路１０５と並列状態でその下方に配置された第３の通路１０７と、第１、第３の通路１０５、１０７を切り替えるフラップ１０８と、このフラップ１０８に連動して第３の通路１０７に出入する印字ヘッド１０９と、この印字ヘッド１０９に対向配置したプラテンローラ１１０などを備えている。
【０００４】
また、この乗車券発券機１００では、収納部１０１に積層する券紙１２０のうち図１２において最上位に位置する券紙を他の券紙から分離し、収納部１０１から１枚ずつ取出し、発券機本体のケーシング内部に供給するため、送出手段を設けている。この送出手段は、例えば駆動する給紙モータでスライドするスライダを備えており、このスライダに設けた専用の爪１０２を最上位の券紙１２０Ａの後端に係止させて押し出すようになっている。また、この収納部１０１には、券紙１２０を取り出す開口部（これを「取出口１０１Ａ」とよぶ）が形成されている。この取出口１０１Ａは、この開口寸法が券紙１２０の厚さ方向について券紙１枚分程度の隙間で構成しており、券紙２枚以上が重送されるのを防止している。
【０００５】
この送出手段では、例えば、図１２に示すように、図示外の給紙用のモータでスライドするスライダの爪１０２の他に、カールした券紙１２０や残少の券紙１２０などでも給送できるようにするため、積層した券紙１２０のうち送り出し用の最上位側の券紙１２０Ａとは反対の最下位側の券紙１２０Ｂを支承する押圧板１１１と、この押圧板１１１を介して券紙１２０に押圧力を付勢する弾性部材などを設けている。この弾性部材には、券紙１２０の送り出し方向に沿った上流側及び下流側（但し、取出口１０１Ａ寄りが下流側となる）に略同じ大きさの圧縮ばね（これを「後部圧縮ばね」とよぶ）１１２及び圧縮ばね（これを「前部圧縮ばね」とよぶ）１１３を用いた構成のものが知られており、券紙１２０の前部及び後部を略同等の弾性力で押圧している。
【特許文献１】特開平８−１０１９２７号公報
【発明の開示】
【発明が解決しようとする課題】
【０００６】
しかしながら、このような略同等の弾性力を付勢する圧縮ばね１１２及び１１３を設けた送出手段にあっては、後部及び前部の圧縮ばね１１２、１１３により、券紙１２０の前後部には送り出し力に対抗する比較的大きな摩擦力を発生している。その結果、スライダの爪１０２を駆動する給紙用のモータについては、比較的大きな出力のものを設けることが必要となっている。このような事情から、送出手段の駆動用モータは、小型化が困難になっているとともに、これに給電する図示外のバッテリについても、その分、容量の大きなものが必要となっている。
【０００７】
本発明は、上記事情に鑑みてなされたもので、送出手段の駆動用モータの小型化が可能になるとともにバッテリの小型化も可能になり、延いては装置自体の小型化にもつながる携帯発券装置を提供することを目的とする。
【課題を解決するための手段】
【０００８】
本発明の発券装置は、印字すべき券紙を積層した収納部と、この収納部から前記券紙を送り出す送出手段と、この送出手段で分離され送り出された前記券紙に印字を行う印字部と、この印字された前記券紙を本体の外部へ排出する排出手段とを備えた携帯発券装置であって、前記券紙を前記送出手段に押し付ける弾性部材を、前記収納部内の前記券紙の送り出し方向に沿った上流側と下流側に備えるとともに、前記弾性部材には、下流側の方が上流側より弾性力が小さいものを設置している。この構成により、下流側の弾性部材に小型のものが使用できる。従って、大型のモータを使用しなくても、確実に券紙の送り出し供給を行うことができ、同時にバッテリの小型化も可能になる。その結果、定期券や特急券などのような大型券用の発券装置であっても、発券装置本体の小型化が実現できるようになり、車内などでの使用も可能になる。
【０００９】
また、本発明の発券装置は、前記印字部の他に、前記券紙に磁気記録する磁気記録部を備える構成となっている。この構成により、券紙に磁気記録させるタイプのものが発券可能になり、自動改札用の発券機としても使用できる。
【発明の効果】
【００１０】
本発明によれば、券紙を積層した収納部からその券紙を１枚ずつ分離しながら送り出す送出手段と、この送出手段で分離され送り出された券紙に印字を行う印字部と、この印字された券紙を本体の外部へ排出する排出手段とを備えた携帯発券装置であって、収納部内の券紙送り出し方向に沿った上流側及び下流側に、送出手段へ券紙を押し付ける弾性部材をそれぞれ備えるとともに、下流側（前部）の弾性部材は、上流側（後部）の弾性部材より弾性力が小さいものを使用しており、下流側の弾性部材に小型のものが使用できる。従って、モータも小型のものを使用して、券紙の送り出し供給を確実に行うことができる。同時に、バッテリの小型化も可能になり、延いては装置自体も小型化が可能な携帯発券装置を提供できる。
【発明を実施するための最良の形態】
【００１１】
以下、本発明の実施形態について、添付図面を参照しながら詳細に説明する。
図１及び図２は、本発明の実施形態に係る携帯発券装置１を示すものであり、この携帯発券装置１は、本体１０の内部に、収納部２と、送出手段３と、給送手段４と、磁気記録部５と、搬送路切替部６と、印字部７と、排出手段８とを備えている。
【００１２】
本体１０は、券紙９を搬送させながら磁気記録及び印字を行うために、第１搬送路１０Ａから第３搬送路１０Ｃを設けている。第１搬送路１０Ａは、磁気記録の際の位置決めを行うホームポション（ＨＰ）を検出するために、図示外の検出手段を付設している。第２搬送路１０Ｂでは、磁気記録された券紙９を一時的に格納して次の印字部７へ送り出すタイミングを図る。一方、第３搬送路１０Ｃは、磁気記録後の券紙９に印字部７で印字するために後述の印字ヘッド７１を設けている。また、この第３搬送路１０Ｃは、終端部に印字後の券紙９を本体１０の外部へ排出するための排出口１３を設けている。
【００１３】
収納部２は、枚葉状の券紙９を積層した状態で収納する略箱状のマガジン２０を備えており、最上位の券紙９から供給するようになっている。なお、この券紙９としては、比較的大型のもの（大型券、例えば８５ｍｍ券）を使用しているが、印字とともに磁気記録も行うため、上面から順に、保護層、感熱層、ベース層、磁気層（鉄粉と接着剤）の４層構造になっており、各層での湿気などによる伸長量が異なるので、カール（湾曲）などを発生し易くなっている。
【００１４】
マガジン２０は、図３及び図４に示すように、ケース２１と、前部圧縮ばね２２及び後部圧縮ばね２３と、押さえ板２４と、固定フレーム２５とを備えており、携帯発券装置１の本体１０内部に、着脱自在にセットするようになっている。なお、このマガジン２０をセットする本体１０には、ケース２１の先端の開放部２１Ａと対向する位置に、券紙９の先端を突き当てる壁１１Ａを形成している。
また、この壁１１Ａには、図２（Ａ）に示すように、調整板１１Ｂが螺着されている。この壁１１Ａに対する調整板１１Ｂの螺着位置は、図２（Ｂ）に示すように、券紙９の厚さ方向について１枚分程度の隙間ｄがケース２１のカセット保持板２１０との間で確保される状態に調整されている。このカセット保持板２１０は、図２（Ｂ）に示すように、取出口１２に臨む一端部の調整板１１Ｂと対向する面に斜面２１０Ａを設けている。これにより、本体１０側の隔壁１１Ａ（調整板１１Ｂ）とケース２１側の斜面２１０Ａとの間に、券紙１枚が通過できる取出口１２が形成される。
ケース２１は、券紙９の送り出し方向の先端である先端面（図１（Ｂ）で取出口１２と対面する）及び一面が開放された略箱状を呈しており、前部圧縮ばね(券紙９の送り出し方向について「下流側の弾性部材」を構成する)２２及び後部圧縮ばね(券紙の送り出し方向について「上流側の弾性部材」を構成する)２３が設置される。
前部縮ばね２２及び後部圧縮ばね２３は、ケース２１のカセット保持板２１０の床面（内面）と押さえ板２４の下面との間に介装されており、押さえ板２４の上に積載される券紙９を前後左右の４箇所から押上げて固定フレーム２５に押し付けるようになっている。特に、本発明では、取出口１２寄りの前部圧縮ばね２２に、後部圧縮ばね２３よりも弾性力の小さなものを使用している。即ち、この前部圧縮ばね２２には、マガジン２０に積層された券紙９が残少となっても、券紙９の基端部が撓んで湾曲することがない弾性力を発揮できる必要最小限の弾性力のものを用いている。このようにすることで、後述する送出手段３に用いる第１モータの小型化を図ることができる。
押さえ板２４は、マガジン２０内部にフリーの状態で（上下方向に移動自在に）収容されており、積層した状態の枚葉状の券紙９を支承している。固定フレーム２５は、ケース２１の側面に係止させて固定しており、押さえ板２４との間で券紙９を挟着するようになっている。
【００１５】
送出手段３は、収納部２内のマガジン２０に積層状態で収納している券紙９を、最上位のものから順次１枚ずつ分離して取出口１２から本体１０内部の奥部、つまり給紙部４へ向けて送り出すためのものであり、図２に示すように、駆動機構３Ａと、分離爪３１と、この分離爪３１を実装したスライダ３２(図５参照)と、第１プラテンローラ４１とを備えている。
駆動機構３Ａは、毎回、券紙９の送り出しの際に、分離爪３１を走行させるとともに第１プラテンローラ４１を回転させるようになっており、ＤＣモータで構成した第１モータ３５と、第１モータ３５の回転速度を減速させるギア列３６と、第１プラテンローラ４１を駆動する第２モータ４２と、第２モータ４２の回転速度を減速させるギア列４３とを備えている。分離爪３１は、給紙部４に向けて収納部２されている券紙９を１枚ずつ押し出しながら送り出していくため、その券紙９の端部(図４において、送り出し方向αについて上流側の端部(以下、「券紙９の基端部」とよぶ))６Ａに係止させるものである。分離爪３１を実装したスライダ３２は、ギア列３６のギアに噛み合うラック３２１を付設しており、このラック３２１介してマガジン２０の内部を券紙９の送り出し方向に一定距離だけ移動走行する。第１プラテンローラ４１は、回転軸がギア列４３を構成する複数のギアのいずれかの回転軸と連結されており、第２モータ４２により回転する。一方、第２プラテンローラ８１は、回転軸がギア列４３を構成する複数のギアのいずれかの回転軸と連結されており、第２モータ４２により回転する。
【００１６】
給送手段４は、図６において、分離爪３１で分離された券紙９を取出口１２から本体１０内部の第１搬送路１０Ａへ給送するとともに、第１搬送路１０Ａから第２搬送路１０Ｂへ券紙９を搬送させ、かつ、第２搬送路１０Ｂから第３搬送路１０Ｃへ券紙９を搬送させる。この給送手段４は、磁気記録用の磁気ヘッド５１との間に設置した第１プラテンローラ４１と、この第１プラテンローラ４１を回転駆動する（磁気記録用のステップモータを兼用する）第２モータ４２（図１（Ｃ）参照）と、券紙９の給送位置を検出するために図示外の例えば光学センサなどを用いた検出手段などを備えている。
【００１７】
磁気記録部５は、印字部７による券紙９への印字に先立ち券紙９の所定位置に磁気記録情報を記録するものであり、図２に示すように、磁気記録の際に券紙９を支持する磁気ヘッド５１（図１参照）と、磁気記録の際に券紙９を搬送する第１プラテンローラ４１と、磁気記録用の第２モータ４２などを備えている。
【００１８】
搬送路切替部６は、前述した第１搬送路１０Ａと第３搬送路１０Ｃとの搬送路の切替を行うためのものであり、図１に示すように、第１、第３いずれか一方の搬送路１０Ａ、１０Ｃを塞いで閉じるために回動可能なフラップ６１と、このフラップ６１を回動させる搬送路切替用のＤＣモータである第３モータ６２とを備えている。
【００１９】
印字部７は、図１において、給送手段４で第２搬送路１０Ｂから給送される券紙９に対して第３搬送路１０Ｃ上で印字を行うものであり、印字の際に第３搬送路１０Ｃに対して第２プラテンローラ８１との間で券紙９を挟むところまで繰り出す印字ヘッド７１と、この印字ヘッド７１と対向する状態で第３搬送路１０Ｃに設置した第２プラテンローラ８１と、搬送路切替用に設けた第３モータ６２と、第２モータ４２で兼用した印字用のモータとを備えている。印字ヘッド７１は、印字の際に第３モータ６２の駆動により、第３搬送路１０Ｃへ向け印字ヘッド７１がヘッドダウンして繰出すため、図示外の進退機構を備えている。第２プラテンローラ８１は、印字用のモータとして用いる第２モータ４２により回転し、券紙９を第３搬送路１０Ｃに沿って印字しながら搬送させる。また、この第２プラテンローラ８１は、印字後の券紙９を排出口１３から本体１０外部へ排出する排出手段８も兼用している。
【００２０】
従って、本実施形態の携帯発券装置１によれば、前部縮ばね２２が（最上位の）券紙９の先端部寄りを固定フレーム２５の内面に押し付けるようになっており、券紙９が残少であっても取出口１２をスムースに通過できる。一方、後部圧縮ばね２３が（最上位）の券紙９の基端部寄りを固定フレーム２５の内面に押し付けることにより、残少の券紙９にカールなどが発生している場合でも、最上位の券紙９の基端部に後述する送出手段３の分離爪３１（図２、図５参照）を確実に係止できる。さらに、本実施形態によれば、前部縮ばね２２に小型のものを使用しており、券紙９の先端側の押付力を必要最小限に抑えることができる。従って、券紙９を送り出する際に、分離爪３１の押出力を最小に抑えることができ、その分、第１モータ３５の小型化を図ることができるとともに、その給電用のバッテリも小型化できる。
【００２１】
次に、本実施形態の携帯発券装置１の発券動作について説明する。
図示外の発券用のボタンをオンする。すると、図６において、送出手段３の駆動機構３Ａに設けた第１モータ３５が回転駆動を開始し、スライダ３２と一体の分離爪３１がスライド動作を開始する。そして、収納部２のマガジン２０に収納された最上位の券紙９の基端部に係止している分離爪３１が最上位の券紙９を同図右方へ押し出す。このようにして、収納部２のマガジン２０内から第１搬送路１０Ｃに向けて券紙９を順次送り出していく。
【００２２】
すると、図７に示すように、第２モータ４２が駆動を開始して、給送手段４の第１プラテンローラ４１が回転動作を開始する。これにより、券紙９は第１プラテンローラ４１と磁気記録用の磁気ヘッド５１との間を搬送されていき、図８に示すように、図示外の検出手段に券紙９の先端（同図中右端に相当）が検出されるとともに基端が取出口１２を通過し、給送ローラ４１が回転動作を停止するまで、その搬送動作が行われる。このようにして、券紙９が所定の位置に正しく位置決めされる。
【００２３】
次に、図９に示すように、第１プラテンローラ４１が逆回転を開始するとともに、磁気記録用のステップモータを構成する第２モータ４２が所定のステップ角度だけ駆動したところで、磁気ヘッド５１が各種の磁気情報を券紙９の所定位置に書き込んでいく。このようにして、券紙９が第２搬送路１０Ｂ上を所定位置まで搬送されたところで、ステップモータ５３の駆動が停止して搬送ローラ５２も逆回転を停止する。
【００２４】
その後、図１０に示すように、第３モータ６２が駆動してフラップ６１を上方へ押し上げるように回動する。これにより、第２搬送路１０Ｂは、第３搬送路１０Ｃと連通状態となり、搬送路が切り替わる。ここで、第２モータ４２が再び正方向に駆動を開始し、第１プラテンローラ４１も正回転を開始する。そして、券紙９は、第１プラテンローラ４１によって第３搬送路１０Ｃの方向へ搬送されていき、先端部が印字部７の印字ヘッド７１に達するところで、第２モータ４２の駆動が停止する。また、券紙９が磁気ヘッド５１を通過の際に、記録されていた磁気情報の確認のため読み取りを行う。
【００２５】
次に、図１１に示すように、第３モータ６２（図２参照）が駆動を開始することによって印字ヘッド７１がヘッドダウンして第３搬送路１０Ｃまで繰出してくるとともに、第２モータ４２が正方向に駆動することで第２プラテンローラ８１が回転動作を開始する。これにより、券紙９に印字情報が記録されるとともに、印字された券紙９が第３搬送路１０Ｃの先の排出口１３から排出される。
【００２６】
なお、本発明は、上述した実施形態に何ら限定されるものではなく、その要旨を逸脱しない範囲において種々の形態で実施し得るものである。
【産業上の利用可能性】
【００２７】
本発明は、収納部内の券紙送り出し方向に沿った上流側及び下流側に、送出手段へ券紙を押し付ける後部弾性部材及び前部弾性部材をそれぞれ備えるとともに、後部弾性部材は、前部弾性部材より弾性力が大きいものを用いており、大型のモータを使用しなくても、確実に券紙の送り出し供給を行うことができ、同時にバッテリの小型化も可能になり、延いては小型化するのに好適で、特急車内での特急券の発券や新幹線や定期券などの発券に用いる発券機などに好適である。
【図面の簡単な説明】
【００２８】
【図１】（Ａ）は本発明の携帯発券装置を底面から見たときの斜視図、（Ｂ）はその断面図，（Ｃ）はその底面図
【図２】（Ａ）は本発明の携帯発券装置の分解斜視図、（Ｂ）は要部断面図
【図３】本発明の携帯発券装置のマガジンを示す分解斜視図
【図４】（Ａ）はマガジン券紙を収容したあとの状態を示す斜視図、（Ｂ）は本発明の携帯発券装置のマガジン券紙を収容するときの状態を示す斜視図
【図５】（Ａ）は本発明の携帯発券装置の繰出手段を示す斜視図、（Ｂ）は（Ａ）の分解斜視図
【図６】本発明の携帯発券装置において券紙の送り出し動作の開始直前の状態を示す縦断面図
【図７】本発明の携帯発券装置において券紙の送り出し動作の開始直後の状態を示す縦断面図
【図８】本発明の携帯発券装置において券紙の送り出し動作のその後の状態を示す縦断面図
【図９】本発明の携帯発券装置において券紙への磁気記録動作を示す縦断面図
【図１０】本発明の携帯発券装置において搬送路の切替動作後の磁気読取動作を示す縦断面図
【図１１】本発明の携帯発券装置において券紙への印字動作を示す縦断面図
【図１２】従来の携帯発券装置を示す縦断面図
【符号の説明】
【００２９】
１  携帯発券装置
１０  本体
１０Ａ  第１搬送路
１０Ｂ  第２搬送路
１０Ｃ  第３搬送路
１１Ａ  壁
１１Ｂ  調整板
１２  取出口
１３  排出口
２  収納部
２０  マガジン
２１  ケース
２１Ａ  開放部
２１０  カセット保持板
２１０Ａ  斜面
２２  前部圧縮ばね（下流側の弾性部材）
２３  後部圧縮ばね（上流側の弾性部材）
２４  押さえ板
２５  固定フレーム
３  送出手段
３Ａ  駆動機構
３１  分離爪
３２  スライダ
３２１  ピニオン
３５  （ＤＣモータ；送り出し専用）第１モータ
３６  ギア列
４  給送手段
４１  第１プラテンローラ
４２  （ステップモータ；第１、第２のプラテンローラ駆動用）第２モータ
４３  ギア列
５  磁気記録部
５１  磁気ヘッド
６  搬送路切替部
６１  フラップ
６２  （ＤＣモータ；印字ヘッド繰出用と搬送路切替用を兼用）第３モータ
７  印字部
７１  印字ヘッド
８  排出手段
８１  第２プラテンローラ
９  券紙
【図１】
2006178732.tif 000003
【図２】
2006178732.tif 000004
【図３】
2006178732.tif 000005
【図４】
2006178732.tif 000006
【図５】
2006178732.tif 000007
【図６】
2006178732.tif 000008
【図７】
2006178732.tif 000009
【図８】
2006178732.tif 000010
【図９】
2006178732.tif 000011
【図１０】
2006178732.tif 000012
【図１１】
2006178732.tif 000013
【図１２】
2006178732.tif 000014